【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】
複数のサブピクセルのグループを有する前記表示装置において、
前記サブピクセルのグループがさらに、八つのサブピクセルを有し、前記サブピクセルが各々、第一色のサブピクセル、第二色のサブピクセルおよび第三色のサブピクセルのうちの一つであり、
前記サブピクセルのグループがさらに、前記第一色の四つのサブピクセル、前記第二色の二つのサブピクセルおよび前記第三色の二つのサブピクセルを有し、さらに前記第二色の前記サブピクセルと前記第三色の前記サブピクセルが、実質的に市松模様を構成し、
第一形式の情報源のピクセルデータを変換し、前記表示装置上に描画する方法であって、
三色のピクセルデータを入力する各データ点用の暗示サンプル領域を決定し、
表示装置内の各色サブピクセル用の再サンプル領域を決定し、各再サンプル領域用の一組の係数を生成し、分母が再サンプル領域の関数であり、分子が各暗示サンプル領域の面積の関数である分数を前記係数が有し、前記暗示サンプル領域が前記再サンプル領域と部分的に重なり、
各暗示サンプル領域への入力ピクセルデータに係数をかけて積を得て、
各積を加えて、各再サンプル領域の輝度値を得る方法。
【請求項２】
再サンプル領域の決定においてさらに、
各色サブピクセル用の再サンプル領域の間の位相関係を決定する請求項１記載の方法。
【請求項３】
位相関係の決定においてさらに、
前記各色の再サンプル領域に対して、再サンプル点を位置決めし、前記第二色と前記第三色用の再サンプル点が、前記第一色用の再サンプル点と実質的に重なるようにする請求項２記載の方法。
【請求項４】
前記第一色が緑であり、前記第二色および第三色が各々赤および青である請求項１記載の方法。
【請求項５】
前記緑の色平面が、サブピクセルのグリッドに対して単位フィルタを調整することで、入力ピクセルと実質的に適合するように中心を合わせた前記フィルタを有する請求項４記載の方法。
【請求項６】
複数のサブピクセルのグループを有する表示装置において、
前記サブピクセルのグループがさらに、八つのサブピクセルを有し、前記サブピクセルが各々、第一色のサブピクセル、第二色のサブピクセルおよび第三色のサブピクセルのうちの一つであり、
前記サブピクセルのグループがさらに、前記第一色の四つのサブピクセル、前記第二色の二つのサブピクセルおよび前記第三色の二つのサブピクセルを有し、さらに前記第二色の前記サブピクセルと前記第三色の前記サブピクセルが、実質的に市松模様を構成し、
第一形式の情報源のピクセルデータを変換し、前記表示装置上に描画する方法であって、
一組のカラー画像データを入力し、
複数の条件用の入力データをテストし、
入力データの前記テストの結果に応じて適切な処置を行う方法。
【請求項７】
前記組のカラー画像の入力データが、１×３マトリクスの入力データのサンプルを有する請求項６記載の方法。
【請求項８】
前記組のカラー画像の入力データが、１×２マトリクスの入力データのサンプルを有する請求項６記載の方法。
【請求項９】
複数の条件用の入力データのテストにおいてさらに、
入力データの高コントラストの特徴の検出用のテストを行う請求項６記載の方法。
【請求項１０】
前記高コントラストの特徴がグループの一つを有し、前記グループはエッジ、ライン、およびドットを含む請求項９記載の方法。
【請求項１１】
入力データの前記テストの結果に応じて適切な処置を行う際さらに、
現在の色データ値の代わりに新しい色データ値を用いる請求項６記載の方法。
【請求項１２】
入力データの前記テストの結果に応じて適切な処置を行う際さらに、
現在の色データ値にガンマ補正を適用する請求項６記載の方法。
【請求項１３】
入力データの前記テストの結果に応じて適切な処置を行う際さらに、
入力データに新しいサブピクセル描画フィルタ係数を適用する請求項６記載の方法。
【請求項１４】
表示装置を有するシステムであって、
前記表示装置が、複数のサブピクセルのグループを有し、前記サブピクセルのグループがさらに、八つのサブピクセルを有し、前記サブピクセルが各々、第一色のサブピクセル、第二色のサブピクセルおよび第三色のサブピクセルのうちの一つであり、
前記サブピクセルのグループがさらに、前記第一色の四つのサブピクセル、前記第二色の二つのサブピクセルおよび前記第三色の二つのサブピクセルを有し、さらに前記第二色の前記サブピクセルと前記第三色の前記サブピクセルが、実質的に市松模様を構成し、
入力画像データを描画するサブピクセル用の手段を有するシステム。
【請求項１５】
入力データを描画するサブピクセル用の前記手段がさらに、
一組のカラー画像データを入力する手段と、
複数の条件に対して入力データをテストする手段と、
入力データの前記テストの結果に応じて適切な処置を行う手段を有する請求項１４記載のシステム。
【請求項１６】
前記組のカラー画像入力データが、１×３マトリクスの入力データのサンプルを有する請求項１５記載のシステム。
【請求項１７】
前記組のカラー画像入力データが、１×２マトリクスの入力データのサンプルを有する請求項１５記載のシステム。
【請求項１８】
複数の条件に対して入力データをテストするための前記手段がさらに、
入力データ内に高コントラストの特徴を検出するためのテスト手段を有する請求項１５記載のシステム。
【請求項１９】
前記高コントラストの特徴がグループの一つを有し、前記グループはエッジ、ライン、およびドットを含む請求項１８記載のシステム。
【請求項２０】
入力データの前記テストの結果に応じて適切な処置を行う手段がさらに、
現在の色データ値の代わりに新しい色データ値を用いる手段を有する請求項１５記載のシステム。
【請求項２１】
入力データの前記テストの結果に応じて適切な処置を行う手段がさらに、
現在の色データ値にガンマ補正を適用する手段を有する請求項１５記載のシステム。
【請求項２２】
入力データの前記テストの結果に応じて適切な処置を行う手段がさらに、
新しいサブピクセル描画フィルタ係数を入力データに適用する手段を有する請求項１５記載のシステム。
【請求項２３】
入力データを描画するサブピクセル用の前記手段がさらに、
三色のピクセルデータを入力する各データ点に対して、暗示サンプル領域を決定する手段と、
表示装置内の各色のサブピクセルに対して、再サンプル領域を決定する手段と、
各再サンプル領域用の一組の係数を生成し、分母が再サンプル領域の関数であり、分子が各暗示サンプル領域の面積の関数である分数を前記係数が有し、前記暗示サンプル領域が前記再サンプル領域と部分的に重なる手段と、
各暗示サンプル領域への入力ピクセルデータに係数をかけて積を得る手段と、
各積を加えて、各再サンプル領域の輝度値を得る手段を有する請求項２５記載のシステム。
【請求項２４】
再サンプル領域を決定する手段がさらに、
各色のサブピクセル用の再サンプル領域の間の位相関係を決定する手段を有する請求項２３記載のシステム。
【請求項２５】
位相関係を決定する手段がさらに、
前記各色の再サンプル領域に対して、再サンプル点を位置決めし、前記第二色と前記第三色用の再サンプル点が、前記第一色用の再サンプル点と実質的に重なるようにする手段を有する請求項２４記載のシステム。
【請求項２６】
前記第一色が緑であり、前記第二色および第三色が各々赤および青であり、
前記緑の色平面の変換が単位フィルタを有し、赤および青の色平面が３×３フィルタ係数のマトリクスを用いる請求項２３記載のシステム。
【請求項２７】
前記緑の色平面が、サブピクセルのグリッドに対して単位フィルタを調整することで、入力ピクセルと実質的に適合するように中心を合わせた前記フィルタを有する請求項２６記載のシステム。